【手続補正書】
【提出日】平成27年1月28日(2015.1.28)
【手続補正１】
【補正対象書類名】明細書
【補正対象項目名】発明の名称
【補正方法】変更
【補正の内容】
【発明の名称】光学機器
【手続補正２】
【補正対象書類名】明細書
【補正対象項目名】０００１
【補正方法】変更
【補正の内容】
【０００１】
本発明は、光学機器に関する。
【手続補正３】
【補正対象書類名】明細書
【補正対象項目名】０００２
【補正方法】変更
【補正の内容】
【０００２】
一般に、コンパクトカメラ又はカメラ一体型ＶＴＲなどの撮像装置で用いられるファインダ装置などの光学機器においては、ファインダ装置筐体（以下単に筐体と呼ぶ）内に対物レンズ、光を屈折する複数のプリズム、および接眼レンズが収納されている。このようなファインダ装置においては、筐体内に入射した被写体像が対物レンズを介して複数のプリズムに入射し、複数のプリズムから出射した光が接眼レンズに入射する。そして、接眼レンズから接眼レンズの近傍に設けられた接眼部に被写体像が導かれる。
【手続補正４】
【補正対象書類名】明細書
【補正対象項目名】０００８
【補正方法】変更
【補正の内容】
【０００８】
従って、本発明の目的は、コストを低減することのできる光学機器を提供することにある。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
上記の目的を達成するため、本発明の光学機器は、レンズ群を備える対物光学系を介して入射した光が透過する第１の光学部材と、前記第１の光学部材を透過した光が透過し、該透過した光によって被写体を視認するための第２の光学部材と、前記第１の光学部材が収納される第１の部材と、前記第１の部材に支持され、前記第２の光学部材が収納される第２の部材と、前記第１の光学部材と前記第２の光学部材との間に配置される枠部材と、前記枠部材と前記第２の部材との間に配置され、前記第１の光学部材を前記第１の部材に押圧して前記第１の光学部材を前記第１の部材に保持するとともに、前記枠部材および前記第２の光学部材をそれぞれ前記第１の部材および前記第２の部材の側に押圧して前記枠部材および前記第２の光学部材を前記第１の部材および前記第２の部材に保持する弾性部材と、を備えることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明によれば、光学部材を保持するための部品点数を低減させて、製造コストを低減させるとともに、光学機器の光路内に外部から異物が侵入することを確実に防止することができる。
【手続補正９】
【補正対象書類名】明細書
【補正対象項目名】００１３
【補正方法】変更
【補正の内容】
【００１３】
【図１】本発明の実施の形態による光学機器の一例であるファインダ装置を示す斜視図である。
【図２】図１に示す対物光学系ユニットを分解して示す斜視図である。
【図３】図１に示す接眼光学系ユニットを分解して示す斜視図である。
【図４】図３に示す弾性部材を下側からみた斜視図である。
【図５】図３に示す接眼光学系ユニットを組み立てる前の状態でファインダユニットを上方からみた図である。
【図６】図３に示す接眼光学系ユニットを組み立てた後の状態でファインダユニットを上方からみた図である。
【図７】図６のＡ−Ａ線断面図である。
【図８】図６のＢ−Ｂ線断面図である。
【図９】図６に示すファインダユニットを備えるファインダ装置を分解して示す斜視図である。
【図１０】図９に示すファインダ装置においてファインダ装置視野の倍率を変倍するカム板を上方から示す図ある。
【手続補正１０】
【補正対象書類名】明細書
【補正対象項目名】００１４
【補正方法】変更
【補正の内容】
【００１４】
以下、本発明の実施の形態による光学機器の一例について図面を参照して説明する。
【手続補正１１】
【補正対象書類名】明細書
【補正対象項目名】００１５
【補正方法】変更
【補正の内容】
【００１５】
図１は、本発明の実施の形態による光学機器の一例であるファインダ装置を示す斜視図である。
【手続補正１２】
【補正対象書類名】明細書
【補正対象項目名】００２１
【補正方法】変更
【補正の内容】
【００２１】
第１のファインダ地板１において対物レンズ室１ａの後方（第４の対物レンズユニット５側、観察者側）には、後述する三角プリズム（第１の光学部材）１１を収納するための三角プリズム室（第２の室）１ｋが形成されている。三角プリズム室１ｋの前方（第４の対物レンズユニット５側、被写体側）には前壁１ｍが設けられており、前壁１ｍの中央部には第４の対物レンズユニット５から射出した観察光が通過する開口部１ｎが形成されている。また、三角プリズム室１ｋには三角プリズム１１から射出した観察光が通過するための開口部１ｏが形成されている。そして、図中開口部１ｏの左右両端部には、第２のファインダ地板（第２の部材）１４を係止する４つの係止爪１ｔ〜１ｗが形成されている。
【手続補正１３】
【補正対象書類名】明細書
【補正対象項目名】００４５
【補正方法】変更
【補正の内容】
【００４５】
第２のファインダ地板１４にはダハプリズム（第２の光学部材）１５を収納するためのダハプリズム室（第３の室）１４ａが形成されている。ダハプリズム室１４ａの後方（接眼レンズ１６側）には後壁１４ｂが設けられている。後壁１４ｂの中央部には、ダハプリズム１５の射出面１５ｂから射出した観察光が通過する開口部１４ｃが形成されている。
【手続補正１４】
【補正対象書類名】明細書
【補正対象項目名】００７３
【補正方法】変更
【補正の内容】
【００７３】
１  第１のファインダ地板（第１の部材）
１ｔ，１ｕ，１ｖ，１ｗ，１４ｆ，１４ｇ，１４ｈ，１４ｋ  係止爪（係合手段）
１１  三角プリズム（第１の光学部材）
１２  視野枠（枠部材）
１３  固定ゴム（弾性部材）
１３ａ  第１の押圧部
１３ｃ  第２の押圧部
１４  第２のファインダ地板（第２の部材）
１４ｅ  切り欠き部（開口部）
１５  ダハプリズム（第２の光学部材）
【手続補正１５】
【補正対象書類名】特許請求の範囲
【補正対象項目名】全文
【補正方法】変更
【補正の内容】
【特許請求の範囲】
【請求項１】
レンズ群を備える対物光学系を介して入射した光が透過する第１の光学部材と、
前記第１の光学部材を透過した光が透過し、該透過した光によって被写体を視認するための第２の光学部材と、
前記第１の光学部材が収納される第１の部材と、
前記第１の部材に支持され、前記第２の光学部材が収納される第２の部材と、
前記第１の光学部材と前記第２の光学部材との間に配置される枠部材と、
前記枠部材と前記第２の部材との間に配置され、前記第１の光学部材を前記第１の部材に押圧して前記第１の光学部材を前記第１の部材に保持するとともに、前記枠部材および前記第２の光学部材をそれぞれ前記第１の部材および前記第２の部材の側に押圧して前記枠部材および前記第２の光学部材を前記第１の部材および前記第２の部材に保持する弾性部材と、を備えることを特徴とする光学機器。
【請求項２】
前記弾性部材は、前記第１の光学部材を前記対物光学系の光軸と交差する方向に押圧して前記第１の光学部材を前記第１の部材に保持する第１の押圧部と、
前記枠部材および前記第２の光学部材を前記対物光学系の光軸の方向に沿って押圧して、前記枠部材および前記第２の光学部材をそれぞれ前記第１の部材および前記第２の部材に保持する第２の押圧部と、を有することを特徴とする請求項１に記載の光学機器。
【請求項３】
前記第２の押圧部には前記光が通過する開口部が形成されており、
前記第１の押圧部には前記第２の押圧部と一体に形成されており、前記第２の押圧部から前記対物光学系の光軸方向に延び、前記第１の光学部材に当接して該第１の光学部材を前記交差方向に押圧する当接部を備えることを特徴とする請求項２に記載の光学機器。
【請求項４】
前記第１の押圧部は前記当接部よりも前記対物光学系の軸方向に延び、前記第１の光学部材と前記第１の部材との間に規定される空間を覆う延在部を有することを特徴とする請求項３に記載の光学機器。
【請求項５】
前記第１の部材には、前記対物光学系の光軸に沿う部分に前記対物光学系を収納するための第１の室が形成されるとともに、前記第１の光学部材を収納するための第２の室が形成され、
前記第２の部材には前記第２の光学部材を収納する第３の室が形成されており、
前記第２の部材が前記第１の部材に係合された際、第２の押圧部が前記対物光学系の光軸の方向に沿って付勢されること特徴とする請求項１〜４のいずれか１項に記載の光学機器。
【請求項６】
前記第２の光学部材は樹脂成形によって形成されており、
前記第２の部材には、前記第２の光学部材の凸部を回避するための切り欠き部が形成され、
前記第２の押圧部には前記当接部と反対側に前記対物光学系の光軸方向に延び、前記切り欠き部を遮蔽する遮蔽部が形成されていることを特徴とする請求項１〜５のいずれか１項に記載の光学機器。
【請求項７】
前記第２の部材には前記第２の部材が前記第１の部材に係合された際に、前記第１の押圧部を前記交差方向に押圧する保持部が形成されていることを特徴とする請求項２に記載の光学機器。
【請求項８】
前記弾性部材はゴム材で形成されていることを特徴とする請求項１〜７のいずれか１項に記載の光学機器。